(57)【要約】  本発明は、少なくとも１つの電話端末（14、16）がマルチメディア端末（18、20、22）に関連付けられたローカルネットワークを備えることを対象とした中継装置（28）に関する。この装置は、電話通信が確立されたときに同時にストリームを受信又は送信する必要がある少なくとも１つのマルチメディア端末を自動的に選択することを対象とする。この装置は、端末の位置、これらの使用状態及びこれらの機能を検出する手段と、その位置及び／又はその機能及び／又はその可用性に応じて、ストリームを受信又は送信する必要があるマルチメディア端末を自動的に選択する手段とを有する。
2008530928.tif 000002
【特許請求の範囲】
【請求項１】
少なくとも１つの電話端末がマルチメディア端末に関連付けられたローカルネットワークを備えることを対象とした中継装置であって、
電話通信が確立されたときに同時にストリームを受信又は送信する必要がある少なくとも１つのマルチメディア端末を自動的に選択することを対象とすることを特徴とし、
前記端末の位置、これらの使用状態及びこれらの機能を検出する手段と、
その位置及び／又はその機能及び／又はその可用性に応じて、ストリームを受信又は送信する必要があるマルチメディア端末を自動的に選択する手段と
を有する中継装置。
【請求項２】
選択されたマルチメディア端末に対して前記電話端末を通過しないストリームを送信又は受信するように中央制御メンバを制御する手段を有することを特徴とする、請求項１に記載の装置。
【請求項３】
前記選択された端末への中継は、前記ローカルネットワークを通信ネットワークに接続するゲートウェイにより実行され、
前記装置は、前記選択された端末に対して中継される前記ストリームを送信又は受信するように前記ゲートウェイを制御する手段を有することを特徴とする、請求項１に記載の装置。
【請求項４】
制御装置は、前記ローカルネットワークに入る入力ストリームを前記ローカルネットワークの全ての端末に指示し、
前記中継装置は、前記入力ストリームが選択されていない端末により使用されることを妨げる手段を有することを特徴とする、請求項１に記載の装置。
【請求項５】
前記端末と前記通信ネットワークを前記ローカルネットワークに接続する前記ゲートウェイとを有するグループに含まれる装置に組み込まれることを特徴とする、請求項１ないし４のうちいずれか１項に記載の装置。
【請求項６】
ユーザが前記マルチメディア端末の自動選択基準を確立することができるようにプログラム手段を有することを特徴とする、請求項１ないし５のうちいずれか１項に記載の装置。
【請求項７】
少なくとも１つの電話端末がマルチメディア端末に関連付けられるローカルネットワークを管理する方法であって、
少なくとも１つのマルチメディア端末は自動的に選択され、
前記端末は、電話通信が確立されるときに同時にストリームを受信又は送信する必要があり、
前記自動選択は、前記端末の位置、これらの使用状態及び／又はこれらの機能に基づいて実行されることを特徴とする方法。
【請求項８】
前記ローカルネットワークは少なくとも２つの電話端末を有し、
使用される電話端末に最も近いと考えられる前記ストリームに適したマルチメデイア端末が自動的に選択されることを特徴とする、請求項７に記載の方法。
【請求項９】
自動的に選択される前記マルチメディア端末は、その機能に応じて、前記電話通信と同時に受信又は送信されるストリームを利用するために最善の性能を示すものであることを特徴とする、請求項７又は８に記載の方法。
【請求項１０】
前記ローカルネットワークは、中央制御メンバ、又は前記ローカルネットワークを通信ネットワークに接続するゲートウェイを有し、
前記中央制御メンバ又は前記ゲートウェイは、受信されたストリームが前記選択された端末に指示されるように制御されることを特徴とする、請求項１に記載の装置。
【請求項１１】
前記ローカルネットワークに入る全ての入力ストリームは、前記ネットワークの全ての端末に指示され、
前記自動選択の後に、選択されていない端末が前記入力ストリームを使用することを妨げられることを特徴とする、請求項７ないし９のうちいずれか１項に記載の方法。
【請求項１２】
前記マルチメディア端末の自動選択基準は、プログラム可能であることを特徴とする、請求項７ないし１１のうちいずれか１項に記載の方法。
【発明の詳細な説明】
【技術分野】
【０００１】
本発明は、電話会話と同時にデータを送信及び／又は受信可能なマルチメディア端末と少なくとも１つの電話端末とを有するローカルネットワークシステム（特にドメスティックネットワーク）に関する。
【背景技術】
【０００２】
最も一般的な電話端末（特に固定電話端末）が、ほとんど専ら電話会話に設計されており、場合によっては低スループットでのデジタルデータの受信（SMS及び／又はMMSメッセージ等）に設計されている。他方、一般的には使用されていない製品であるテレビ電話を除いて、電話端末はビデオデータ又はコンピュータプログラムを送信又は受信することはできない。
【０００３】
しかし、電話会話と同時に、一般の電話端末により処理できないデータを通信する要求がしばしば感じられる。
【０００４】
この形式の通信を可能にするために、１つ以上のマルチメディア端末（例えばパーソナルコンピュータ）に電話端末を関連付け、これによってユーザが電話会話と同時にファイル（電子メール、写真、ビデオ等）を送信することを可能にすることが知られている。また、電話端末、テレビ受信機及びビデオカメラを関連付けることにより、テレビ電話形式の交換を実行することも可能である。
【発明の開示】
【発明が解決しようとする課題】
【０００５】
本発明は、マルチメディア形式のデータ送信機及び／又は受信機に電話端末を関連付ける既知のシステムが、十分にユーザの要求を満たすことができないという所見から始まる。
【課題を解決するための手段】
【０００６】
本発明によるシステムは、
−ローカルネットワークのマルチメディア端末毎に、次のパラメータ：装置の識別情報、インストールされた場所、その機能及びこの装置の状態を決定する手段と、
−通信が実行される電話端末に最も近いマルチメディア端末及び／又は受信されたデータに最も適した機能を有するマルチメディア端末に、ローカルネットワークにより受信されたデータを転送する手段と
を有する中継装置を有する。
【０００７】
マルチメディア端末の機能は、この装置が実現する必要がある機能に関係する機能を意味することがわかる。例えば、コンピュータでは、このことは、特にそのマイクロプロセッサの特性、そのランダムアクセスメモリの容量、そのハードディスクの容量、及び表示装置の特性（画面サイズ及び解像度等）を含む。各マルチメディア端末の状態は、オフ状態、スタンバイ状態又はオン状態を意味することがわかる。中継装置への端末の単純な接続は、この状態を確かめるのに十分である。
【０００８】
本発明によるシステムでは、ローカルネットワークが同一の加入者番号の複数の電話端末を有する場合、中継装置は、使用される電話端末に最も近いマルチメディア端末を自動的に選択する。中継装置はまた、特に唯一の電話端末を有する導入時に、特性が受信データストリームに最も適している利用可能なマルチメディア端末を選択することができる。例えば、受信されたストリームが中継装置の分析により検出されるようなビデオデータを有する場合、後者は、最大の画面又は最善の解像度を有するマルチメディア装置にビデオデータを自動的に中継するようにプログラムされてもよい。ビデオカメラがメッセージを送信するのに利用可能で用意ができている場合、中継装置は、ビデオカメラに最も近い表示装置を自動的に選択するようにプログラムされる。このため、カメラ及び表示装置は、前もって同一の地理的位置に属するように構成され、及び／又は結合される。
【０００９】
ユーザが電話会話中に電話端末を変更すると、中継装置は、第２の電話端末に最も近いマルチメディア端末にデータを自動的に転送する。
【００１０】
中継装置は、端末と独立した装置に組み込まれ得るソフトウェア手段で具現されることが好ましい。変形として、中継装置は、電話端末又はマルチメディア端末のような端末に組み込まれる。
【００１１】
一実施例では、ローカルネットワークに存在しないユーザにデータを送信するために、一実施例によれば、中継装置は、話者の電話端末により使用できないストリームを、この話者に最も適したこの話者のマルチメディア端末に指示する手段を有する。STP及びH323のような通常のIP電話プロトコルは、通信セッションの開始中に端末の機能に従って通信パラメータが交換されてネゴシエーションされるようなものであることが知られている。例えば、通信パラメータは、音声及びビデオストリームに使用されるコーデックである。
【００１２】
中継装置とマルチメディア端末との間の通信プロトコルは、如何なる性質のものでもよく、標準化された形式でもよく、独自仕様の形式でもよい。標準プロトコルの非限定的な例として、ネットワークにより提供される全てのリソースがどんな端末にも利用可能になるUPnP、JINI  Salutationプロトコルに言及され得る。
【００１３】
一実施例では、中継装置は、ローカルネットワークから通信ネットワークへのアクセスゲートウェイに接続され、マルチメディアデータストリームがゲートウェイから選択された端末に直接転送されるように、このゲートウェイを制御する。
【００１４】
他の実施例では、ゲートウェイからデータを受信し、これらをローカルネットワークのマルチメディア装置に再送信するプロキシ形式の中央装置が、ローカルネットワークで想定される。この場合には、中継装置はこの中央装置の制御手段を有する。この中央装置はまた、例えばゲートウェイ又は電話端末に配置されたソフトウェアプロダクトであることが好ましい。
【００１５】
一実施例では、ゲートウェイの後に、送信されたデータを受信可能な全てのマルチメディア装置にデータを指示する制御装置が想定され、中継装置は、使用される必要があるマルチメディア端末のうち１つを選択する。この構成は、複数のメディアが進行と共に通信に入るときに特に有用である。
【００１６】
全てのマルチメディア端末を選択することを対象としたこの制御装置は、ローカルネットワークに配置されてもよく、外部ネットワークとゲートウェイとの間の外部に配置されてもよい。
【００１７】
従って、本発明は、少なくとも１つの電話端末がマルチメディア端末に関連付けられたローカルネットワークを備えることを対象とした中継装置に関し、
電話通信が確立されたときに同時にストリームを受信又は送信する必要がある少なくとも１つのマルチメディア端末を自動的に選択することを特徴とし、
端末の位置、これらの使用状態及びこれらの機能を検出する手段と、
その位置及び／又はその機能及び／又はその可用性に応じて、ストリームを受信又は送信する必要があるマルチメディア端末を自動的に選択する手段とを有する。
【００１８】
一実施例では、この装置は、選択されたマルチメディア端末に対して電話端末を通過しないストリームを送信又は受信するように中央制御メンバを制御する手段を有する。
【００１９】
一実施例によれば、選択された端末への中継は、ローカルネットワークを通信ネットワークに接続するゲートウェイにより実行され、この装置は、選択された端末に対して中継されるストリームを送信又は受信するようにゲートウェイを制御する手段を有する。
【００２０】
一実施例では、制御装置は、ローカルネットワークに入る入力ストリームをローカルネットワークの全ての端末に指示し、中継装置は、入力ストリームが選択されていない端末により使用されることを妨げる手段を有する。
【００２１】
一実施例によれば、この装置は、端末と通信ネットワークをローカルネットワークに接続するゲートウェイとを有するグループに含まれる装置に組み込まれる。
【００２２】
一実施例では、この装置は、ユーザがマルチメディア端末の自動選択基準を確立することができるようにプログラム手段を有する。
【００２３】
本発明はまた、少なくとも１つの電話端末がマルチメディア端末に関連付けられるローカルネットワークを管理する方法に関し、少なくとも１つのマルチメディア端末は自動的に選択され、この端末は、電話通信が確立されるときに同時にストリームを受信又は送信する必要があり、この自動選択は、端末の位置、これらの使用状態及び／又はこれらの機能に基づいて実行されることを特徴とする。
【００２４】
ローカルネットワークが少なくとも２つの電話端末を有する一実施例では、使用される電話端末に最も近いと考えられるストリームに適したマルチメデイア端末が自動的に選択される。
【００２５】
一実施例では、自動的に選択されるマルチメディア端末は、その機能に応じて、電話通信と同時に受信又は送信されるストリームを利用するために最善の性能を示すものである。
【００２６】
ローカルネットワークが中央制御メンバ、又はこのローカルネットワークを通信ネットワークに接続するゲートウェイを有する一実施例によれば、この中央制御メンバ又はゲートウェイは、受信されたストリームが選択された端末に指示されるように制御される。
【００２７】
一実施例では、ローカルネットワークに入る全ての入力ストリームは、このネットワークの全ての端末に指示され、自動選択の後に、選択されていない端末が入力ストリームを使用することを妨げられる。
【００２８】
マルチメディア端末の自動選択基準は、例えばプログラム可能である。
【００２９】
本発明の他の特徴及び利点は、この実施例のいくつかの説明で明らかになり、この説明は添付図面を参照して行われる。
【発明を実施するための最良の形態】
【００３０】
図１に、通信ネットワーク（例えばインターネットネットワーク1）に接続されたドメスティックネットワーク10のようなローカルネットワークが示されている。
【００３１】
図示の例では、ローカルネットワークは、２つの電話端末（すなわち、寝室に配置された電話端末14及びラウンジのような他の部屋に配置された電話端末）を有する。端末14の近くに、コンピュータ18及びビデオカメラ20がある。
【００３２】
電話端末16の近くに、一方にテレビ受信機22があり、他方に他のビデオカメラ24がある。
【００３３】
ローカルネットワークから通信ネットワーク12へのリンクは、通常のようにゲートウェイ26により行われる。
【００３４】
本発明によれば、ネットワーク10は、ゲートウェイ26を含むローカルネットワークの全ての端末に連結され、ゲートウェイ26から電話端末により処理できない受信ストリームに最も適したマルチメディア端末に受信ストリームの中継を制御する中継装置28を更に有する。
【００３５】
中継装置28は、電話端末を含み、ネットワークの各装置の識別情報及び位置を記録する手段を有する。この中継装置はまた、ローカルネットワークの各端末からその特性、その機能及びその可用性を受信する手段を有する。これはまた、受信ストリームを分析する手段を有する。
【００３６】
通信セッション中に、装置28は、受信ストリームの分析後に、最も適切なマルチメディア端末に自動的にこのストリームを中継する。最も適切な端末は、装置の特性及びこれらの可用性の分析に基づいて決定される。
【００３７】
従って、図示の例では、ネットワーク12に接続されたマルチメディア端末32から受信されたストリームもまた、電話端末（図示せず）に関連付けられ、装置28によって、会話中の電話端末14である場合にはコンピュータ18に指示され、電話会話に使用されている電話端末16の場合にはテレビ22に指示される。
【００３８】
テレビ会議の形式の通信である場合には、テレビ22が選択された場合に、カメラ24が使用される。反対の場合に、コンピュータ18が選択された場合に、カメラ20が使用される。
【００３９】
電話通信中に、特定のパラメータが変更された場合（例えばユーザが端末14から端末16に通信を転送した場合）、中継装置28は、電話端末に最も近いマルチメディア装置又は端末を自動的に選択する。
【００４０】
例えば、装置28は、例えば特定の形式のストリームについてマルチメディア端末の１つを専ら選択するような基準を課すことができるように、ユーザによりプログラムされ得る。
【００４１】
一実施例では、複数の中継装置が想定される。
【００４２】
図２に示す例は、１つの形式の通信セッション（すなわち、オーディオ、ビデオ及びデータストリームを管理する単一の通話）に適合する一実施例に関する。
【００４３】
この例では、ローカルネットワークは、ゲートウェイ26から生じて後者のゲートウェイを対象とした全てのストリームが通過する中央制御装置36を有する。例えば、この装置36は、ゲートウェイ26又は電話端末40に統合される。
【００４４】
従って、この装置36は、全ての入力及び出力ストリームにより通過される。この場合、ローカルネットワークの全ての端末（すなわち、電話端末40並びにマルチメディア端末44（表示装置）及び46（ビデオカメラ））に接続された中継装置42はまた、制御装置36にも連結される。中継装置42は、ストリームを適切な装置に中継するように、中央装置36を制御する。
【００４５】
例えば、装置36と端末との間で使用されるプロトコルは、SIP、H323又はUPnPオーディオ／ビデオプロトコルである。
【００４６】
図２では、音声ストリームは細い点線50で表され、ビデオストリームは太い点線52で表される。
【００４７】
図３では、図２の要素に対応する要素は同じ参照符号で示されている。
【００４８】
この実施例は、中継装置54がこの装置54により決定された中継を確保するように、直接ゲートウェイ26を制御するという点で、図２に示す実施例と異なる。
【００４９】
特に言及しない限り、この例では、（図２の実施例の参照符号36を有する）中央制御装置は想定されない。
【００５０】
電話通信中に新しいマルチメディア端末が介入すると、装置54は、新しいストリームを選択されたマルチメディア端末にトランク設定するためのゲートウェイ26への新しい経路を制御する。この新しい経路は、IP端末間の通信セッション中に既知の方法で実行されるネゴシエーションに基づいて決定される。このセッションは、端末間のIP通信の確立の準備を構成する。
【００５１】
図４に示す例では、通信セッションの多重を可能にするセッション制御装置60が想定される。
【００５２】
この例では、装置60は、全ての端末40、44、46への呼を扱い、中継装置62は、呼に使用される端末を選択し、使用されない端末を無効にする（すなわち、使用されていない端末が入力ストリームを使用することを妨げる）ようにプログラムされる。
【００５３】
図４では、細い点線64は確立された音声通信を表し、太い点線66はビデオ通信の呼を表す。
【００５４】
この例では、装置60はローカルネットワーク又は外部に配置される。
【図面の簡単な説明】
【００５５】
【図１】本発明によるシステム
【図２】本発明の実施例
【図３】本発明の実施例
【図４】本発明の実施例
【図１】
2008530928.tif 000003
【図２】
2008530928.tif 000004
【図３】
2008530928.tif 000005
【図４】
2008530928.tif 000006
【手続補正書】
【提出日】平成19年1月8日(2007.1.8)
【手続補正１】
【補正対象書類名】特許請求の範囲
【補正対象項目名】全文
【補正方法】変更
【補正の内容】
【特許請求の範囲】
【請求項１】
少なくとも１つの電話端末がマルチメディア端末に関連付けられたローカルネットワークを備えることを対象とした中継装置であって、
前記電話端末のうち１つにより電話通信が確立されたときに同時にデータストリームを受信又は送信する必要がある少なくとも１つのマルチメディア端末を自動的に選択することを対象とすることを特徴とし、
前記端末の位置、これらの使用状態及びこれらの機能を検出する手段と、
その位置及び／又はその機能及び／又はその可用性に応じて、データストリームを受信又は送信する必要がある最適なマルチメディア端末を自動的に選択する手段と
を有する中継装置。
【請求項２】
選択されたマルチメディア端末に対して前記電話端末を通過しないストリームを送信又は受信するように中央制御メンバを制御する手段を有することを特徴とする、請求項１に記載の装置。
【請求項３】
前記選択された端末への中継は、前記ローカルネットワークを通信ネットワークに接続するゲートウェイにより実行され、
前記装置は、前記選択された端末に対して中継される前記ストリームを送信又は受信するように前記ゲートウェイを制御する手段を有することを特徴とする、請求項１に記載の装置。
【請求項４】
制御装置は、前記ローカルネットワークに入る入力ストリームを前記ローカルネットワークの全ての端末に指示し、
前記中継装置は、前記入力ストリームが選択されていない端末により使用されることを妨げる手段を有することを特徴とする、請求項１に記載の装置。
【請求項５】
前記端末と前記通信ネットワークを前記ローカルネットワークに接続する前記ゲートウェイとを有するグループに含まれる装置に組み込まれることを特徴とする、請求項１ないし４のうちいずれか１項に記載の装置。
【請求項６】
ユーザが前記マルチメディア端末の自動選択基準を確立することができるようにプログラム手段を有することを特徴とする、請求項１ないし５のうちいずれか１項に記載の装置。
【請求項７】
少なくとも１つの電話端末がマルチメディア端末に関連付けられるローカルネットワークを管理する方法であって、
少なくとも１つの適合したマルチメディア端末は自動的に選択され、
前記端末は、前記電話端末のうち１つにより電話通信が確立されるときに同時にデータストリームを受信又は送信する必要があり、
前記自動選択は、前記端末の位置、これらの使用状態及び／又はこれらの機能に基づいて実行されることを特徴とする方法。
【請求項８】
前記ローカルネットワークは少なくとも２つの電話端末を有し、
使用される電話端末に最も近いと考えられる前記ストリームに適したマルチメデイア端末が自動的に選択されることを特徴とする、請求項７に記載の方法。
【請求項９】
自動的に選択される前記マルチメディア端末は、その機能に応じて、前記電話通信と同時に受信又は送信されるストリームを利用するために最善の性能を示すものであることを特徴とする、請求項７又は８に記載の方法。
【請求項１０】
前記ローカルネットワークは、中央制御メンバ、又は前記ローカルネットワークを通信ネットワークに接続するゲートウェイを有し、
前記中央制御メンバ又は前記ゲートウェイは、受信されたストリームが前記選択された端末に指示されるように制御されることを特徴とする、請求項７ないし９のうちいずれか１項に記載の方法。
【請求項１１】
前記ローカルネットワークに入る全ての入力ストリームは、前記ネットワークの全ての端末に指示され、
前記自動選択の後に、選択されていない端末が前記入力ストリームを使用することを妨げられることを特徴とする、請求項７ないし９のうちいずれか１項に記載の方法。
【請求項１２】
前記マルチメディア端末の自動選択基準は、プログラム可能であることを特徴とする、請求項７ないし１１のうちいずれか１項に記載の方法。
【国際調査報告】
2008530928.tif 000007
2008530928.tif 000008
2008530928.tif 000009
2008530928.tif 000010